(57)【要約】【課題】本発明は、カルシウム塩などの析出防止が可能で、湿し水の汚れ（濁り）の抑制にも効果があり、さらにブランケットパイリングの発生を抑制できる湿し水組成物を提供することを目的とする。【解決手段】特定のモノアミノポリカルボン酸およびその塩と、所定の式で表されるグリセリントリエステル化合物とを含有する湿し水組成物。【選択図】なし【特許請求の範囲】
【請求項１】
モノアミノポリカルボン酸およびその塩と、下記一般式（１）で表されるグリセリントリエステル化合物とを含有することを特徴とする湿し水組成物。
【化１】
2019181760.tif 000009
（ここで、式中、Ｒ１、Ｒ２およびＲ３は、それぞれ独立して炭素数１〜４の炭化水素基であるか、またはＲ１、Ｒ２およびＲ３のうちのどれか２つがそれぞれ独立して炭素数１〜４の炭化水素基であり、かつ残りの１つが炭素数１〜１７の炭化水素基である。）
【請求項２】
前記モノアミノポリカルボン酸およびその塩が、イミノジ酢酸、イミノジ酢酸ナトリウム塩、メチルイミノジ酢酸、β−アラニンジ酢酸、およびヒドロキシエチルイミノジ酢酸の中から選ばれる少なくとも１種であることを特徴とする請求項１に記載の湿し水組成物。
【請求項３】
前記グリセリントリエステル化合物が、トリアセチン、トリプロピオニン、トリブチリン、トリバレリン、トリイソバレリン、グリセリンジアセトモノラウレート、およびグリセリンジアセトモノオレートの中から選ばれる少なくとも１種であることを特徴とする請求項１または２に記載の湿し水組成物。
【請求項４】
さらに、酸、塩類および下記一般式（２）で表される化合物を含有することを特徴とする請求項１〜３のいずれかに記載の湿し水組成物。
Ｒ４−Ｏ−（ＣＨ２ＣＨＲ５Ｏ）ｎ−Ｈ          （２）
（ここで、式中、Ｒ４は炭素数が１〜４のアルキル基であり、Ｒ５は水素原子またはメチル基であり、ｎは１〜４の整数である。）
【請求項５】
前記酸が、リン酸、クエン酸、グルコン酸、リンゴ酸、コハク酸、およびマレイン酸の中から選ばれる少なくとも１種であることを特徴とする請求項４に記載の湿し水組成物。
【請求項６】
前記塩類が、硝酸アンモニウム、リン酸塩、クエン酸塩、ｐ−トルエンスルホン酸塩の中から選ばれる少なくとも１種であることを特徴とする請求項４または５に記載の湿し水組成物。
【請求項７】
さらに、下記一般式（３）で表されるピロリドン誘導体を含有することを特徴とする請求項１〜６のいずれかに記載の湿し水組成物。
【化２】
2019181760.tif 000010
（ここで、式中、Ｒ６は炭素数が２〜１２のアルキル基である。）
【請求項８】
請求項１〜７のいずれかに記載の湿し水組成物を水で２５〜２００倍に希釈した希釈液を使用する印刷工程を含むことを特徴とするオフセット印刷方法。
【発明の詳細な説明】
【技術分野】
【０００１】
本発明は、オフセット印刷に使用する湿し水組成物に関する。
【背景技術】
【０００２】
オフセット印刷は、本質的に水と油が混じり合わない性質を利用した印刷方式であり、オフセット印刷の版面は、水を受容し油性インキを反撥する範囲である非画線部と、水を反撥し油性インキを受容する範囲である画線部からなる。非画線部と画線部には、界面化学的な差を拡大して、非画線部のインキ反撥性と画線部のインキ受容性とを増大させることがなされる。そのために、非画線部の形成に用いられる湿し水に、様々な化学物質を添加し、その性能を最大限に発揮できるように鋭意検討されてきた。
【０００３】
上記非画線部に親水性を付与するために添加する化学物質として、硝酸、リン酸、ホスホン酸、硫酸、塩酸またはこれらの塩などが利用される。一方、湿し水には、通常水道水や井戸水が使用され、これらに含まれるカルシウムイオンなどが上記のリン酸、ホスホン酸またはこれらの塩などと反応し、不溶性物質を析出させ、この析出物が印刷機のローラに付着し、堆積して、インキの正常な転移を阻害し、印刷に支障をきたすことがある。
【０００４】
さらに、再生紙、特に白色度を上げた炭酸カルシウムのような多価金属塩を多量に含むコート層を紙の表面に設けた軽量コート再生紙などの利用が増え、これらの再生紙を使用して、長時間連続的に印刷を行なうと、印刷に使用する湿し水が再生紙などの表面コート層に含まれる炭酸カルシウムを溶解し、湿し水中のカルシウムイオン濃度が増加する傾向がみられる。
このようにカルシウムイオンが増加すると前述の通り、酸や酸塩類と反応し、不溶性物質の析出が顕著になり、さらに問題を増長させることがあった。
【０００５】
このような問題を解決するために、特許文献１では、セルロース誘導体、ｐＨ緩衝液、プロピレングリコールモノアルキルエーテル、３−メトキシブタノール及びテトラフェニルホスホニウムブロマイドを含む平版印刷用濃縮湿し水組成物が提案され、特に上記カルシウムイオンなどによる不溶性物質の析出を解消するために、キレート化合物を添加することが記載されている。また、特許文献２では、特定のポリオキシエチレンポリオキシプロピレン共重合体、特定のスルホン酸ナトリウム塩、及び特定のアセチレンジオール化合物を含有する平版印刷用湿し水濃縮組成物が提案され、さらにカルシウムによるスケールの形成を防止するためにジエチレントリアミンペンタメチレンホスホン酸７ナトリウム塩を含有させることが記載されている。また、特許文献３では、ｔ−アミルアルコールを含む、オフセット印刷用の湿し水濃縮液が提案され、カルシウムイオンを結合するために硬水軟化剤として、キレート化剤を使用することが記載されている。
【０００６】
しかし、これらキレート化剤はカルシウムイオンなどによる不溶性物質の析出を解消するのに効果はあるが、依然インキの正常な転移を阻害し、印刷に支障をきたすことがあり、また印刷経過に伴う湿し水の汚れ（濁り）が解消できないという問題もあった。そこで出願人は、カルシウムイオンなど以外にも原因があると考え、調査したところ湿し水の導電率に影響することを見い出した。すなわち、カルシウムイオンなどだけでなく、紙に添加されている接着剤やバインダーなどが原因であると思われ、上記特許文献１〜３に使用されているキレート化剤では、導電率を低下させる効果がないことも確認し、また湿し水の汚れ（濁り）を解消できないことも確認した。
【０００７】
一方、特許文献４では、特定のアミノカルボン酸化合物と、エチレンジアミンにエチレンオキサイドとプロピレンオキササイドを付加した化合物を有する平版印刷版用湿し水組成物が提案され、カルシウム塩などの析出を防止するものが記載されている。
【０００８】
特許文献４には、カルシウム塩などの析出防止のために、特定のアミノカルボン酸化合物、特にイミノ二酢酸およびイミノ二酢酸のナトリウム塩が実施例に記載されているが、導電率について測定した記載がなく、湿し水の汚れ（濁り）についてまったく評価していない。
【０００９】
特許文献５には、アミノカルボン酸化合物の少なくとも１種を含有する平版印刷版用湿し水組成物が提案され、特許文献４と同等の化合物を含むものが記載されているが、イソプロピルアルコール系に代替しうる安全性の高さと優れる印刷適性を提供することを目的としたものであって、カルシウムイオンなどによる不溶性物質の析出を解消することや湿し水の汚れ（濁り）についてまったく評価していない。
【００１０】
また、前記した通り、オフセット印刷は、オフセット印刷の版面上には水を受容し油性インキを反撥する範囲である非画線部と、水を反撥し油性インキを受容する範囲である画線部があり、版面上に形成された画線部に受容した油性インキは、ブランケットに転移し、さらにブランケットから基材である紙に転移することによって印刷されている。このとき、長時間の連続印刷を行うと、油性インキの成分（樹脂、顔料など）と紙の成分（繊維、填料など）が混じり合ったものが、ブランケット上の非画線部分に徐々に堆積してくる、いわゆる「ブランケットパイリング」が発生する。特に、オフセット輪転（オフ輪）印刷は長時間連続運転が可能で、生産性が高いことを特徴とするが、このブランケットパイリングが発生しやすいという問題があった。
ブランケットパイリングは、特に回転するブランケット胴の後ろ側（くわえ尻側という）に画線部の油性インキが押し出されるようにして堆積しやすく、その堆積物の高さが大きくなると、ブランケットから紙へ油性インキの転移が阻害され、油性インキの着肉が不良の印刷物となってしまう。しかも、このときには印刷を停止してブランケットを洗浄し、堆積物を除去しなければならず、損紙の増大、生産性の低下が非常に大きく、改良が望まれている。
【００１１】
前記した特許文献１〜５はいずれもブランケットパイリングについて、詳細な検討がされておらず、これを解消するには至っていない。また湿し水の汚れ（濁り）についてまったく評価していない。
【先行技術文献】
【特許文献】
【００１２】
【特許文献１】特開平５−１１２０８５号公報
【特許文献２】特開２００９−１２６１３２号公報
【特許文献３】特開２０１２−９１４６１号公報
【特許文献４】特開２００７−２７６２９８号公報
【特許文献５】特開平１１−２９１６５９号公報
【発明の概要】
【発明が解決しようとする課題】
【００１３】
そこで、本発明は、カルシウム塩などの析出防止が可能で、湿し水の汚れ（濁り）の抑制にも効果があり、さらにブランケットパイリングの発生を抑制できる湿し水組成物を提供することを目的とする。
【課題を解決するための手段】
【００１４】
本発明者は、鋭意検討した結果、特定のモノアミノポリカルボン酸と特定のグリセリントリエステル化合物を含有することにより上記目的を達成できることを見出し、本発明を完成するに至った。
【００１５】
すなわち、本発明は、
（１）モノアミノポリカルボン酸およびその塩と、下記一般式（１）で表されるグリセリントリエステル化合物とを含有することを特徴とする湿し水組成物、
【００１６】
【化１】
2019181760.tif 000002
（ここで、式中、Ｒ１、Ｒ２およびＲ３は、それぞれ独立して炭素数１〜４の炭化水素基であるか、またはＲ１、Ｒ２およびＲ３のうちのどれか２つがそれぞれ独立して炭素数１〜４の炭化水素基であり、かつ残りの１つが炭素数１〜１７の炭化水素基である。）
【００１７】
（２）前記モノアミノポリカルボン酸およびその塩が、イミノジ酢酸、イミノジ酢酸ナトリウム塩、メチルイミノジ酢酸、β−アラニンジ酢酸、およびヒドロキシエチルイミノジ酢酸の中から選ばれる少なくとも１種であることを特徴とする（１）に記載の湿し水組成物、
（３）前記グリセリントリエステル化合物が、トリアセチン、トリプロピオニン、トリブチリン、トリバレリン、トリイソバレリン、グリセリンジアセトモノラウレート、およびグリセリンジアセトモノオレートの中から選ばれる少なくとも１種であることを特徴とする（１）または（２）に記載の湿し水組成物、
（４）さらに、酸、塩類および下記一般式（２）で表される化合物を含有することを特徴とする（１）〜（３）のいずれかに記載の湿し水組成物、
Ｒ４−Ｏ−（ＣＨ２ＣＨＲ５Ｏ）ｎ−Ｈ          （２）
（ここで、式中、Ｒ４は炭素数が１〜４のアルキル基であり、Ｒ５は水素原子またはメチル基であり、ｎは１〜４の整数である。）
（５）前記酸が、リン酸、クエン酸、グルコン酸、リンゴ酸、コハク酸、およびマレイン酸の中から選ばれる少なくとも１種であることを特徴とする（４）に記載の湿し水組成物、
（６）前記塩類が、硝酸アンモニウム、リン酸塩、クエン酸塩、およびｐ−トルエンスルホン酸塩の中から選ばれる少なくとも１種であることを特徴とする（４）または（５）に記載の湿し水組成物、
（７）さらに、下記一般式（３）で表されるピロリドン誘導体を含有することを特徴とする（１）〜（６）のいずれかに記載の湿し水組成物、
【００１８】
【化２】
2019181760.tif 000003
（ここで、式中、Ｒ６は炭素数が２〜１２のアルキル基である。）
（８）（１）〜（７）のいずれかに記載の湿し水組成物を水で２５〜２００倍に希釈した希釈液を使用する印刷工程を含むことを特徴とするオフセット印刷方法、
である。
【発明の効果】
【００１９】
本発明によれば、カルシウム塩などの析出防止が可能で、湿し水の汚れ（濁り）の抑制にも効果があり、さらにブランケットパイリングの発生を抑制できる湿し水組成物を提供できる。
【発明を実施するための形態】
【００２０】
以下、本発明を実施するための形態を詳細に説明する。なお、本実施形態は、本発明を実施するための一形態に過ぎず、本発明は本実施形態によって限定されるものではなく、本発明の要旨を逸脱しない範囲で種々の変更実施の形態が可能である。
【００２１】
本発明の湿し水組成物は、モノアミノポリカルボン酸およびその塩と、下記一般式（１）で表されるグリセリントリエステル化合物とを含有することが好ましい。
【００２２】
【化４】
2019181760.tif 000004
（ここで、式中、Ｒ１、Ｒ２およびＲ３は、それぞれ独立して炭素数１〜４の炭化水素基であるか、またはＲ１、Ｒ２およびＲ３のうちのどれか２つがそれぞれ独立して炭素数１〜４の炭化水素基であり、かつ残りの１つが炭素数１〜１７の炭化水素基である。）
【００２３】
前記モノアミノポリカルボン酸およびその塩は、イミノジ酢酸、イミノジ酢酸ナトリウム塩、メチルイミノジ酢酸、β−アラニンジ酢酸、およびヒドロキシエチルイミノジ酢酸の中から選ばれる少なくとも１種であることが好ましく、なかでもイミノジ酢酸、イミノジ酢酸ナトリウム塩がより好ましい。
【００２４】
モノアミノポリカルボン酸およびその塩の含有量は、湿し水組成物に対し０．１〜５質量％であり、０．３〜３質量％であることがより好ましく、０．５〜１質量％であることがさらに好ましい。前記範囲内であることにより、カルシウム塩などの析出防止および湿し水の汚れ（濁り）の抑制効果を有する。５質量％を超えると、水との相溶性が落ち、白濁するおそれがある。０．１質量％より少ないと、析出防止および湿し水の汚れ（濁り）の抑制効果が劣る。
【００２５】
前記一般式（１）で表されるグリセリントリエステル化合物は、具体的にはトリアセチン、１，２，３−プロパントリオール２−プロピオナート１，３−ジアセタート、１，２，３−プロパントリオール１−プロピオナート２，３−ジアセタート、１，２，３−プロパントリオール１，３−ジプロピオナート２−アセタート、１，２，３−プロパントリオール１，２−ジプロピオナート３−アセタート、トリプロピオニン、ヘキサン酸２，３−ビス（アセチルオキシ）プロピル、ヘキサン酸２−アセチルオキシ−１−［（アセチルオキシ）メチル］エチル、トリブチリン、グリセロールトリイソブチラート、オクタン酸２−アセチルオキシ−１−［（アセチルオキシ）メチル］エチル、トリバレリン、トリイソバレリン、［Ｓ，（−）］−２−Ｏ，３−Ｏ−ジバレリル−１−Ｏ−ビバロイル−Ｌ−グリセロール、［Ｒ，（＋）］−２−Ｏ，３−Ｏ−ジバレリル−１−Ｏ−ビバロイル−Ｄ−グリセロール、１−Ｏ，２−Ｏ−ジアセチル−３−Ｏ−ラウロイルグリセロール、１，３，１０−トリアセトキシ２，４，６−トリメチルデカン、グリセリンジアセトモノラウレート、グリセリンジアセトモノオレートトリアセチン、トリプロピオニン、トリブチリン、トリバレリン、トリイソバレリン、グリセリンジアセトモノラウレート、グリセリンジアセトモノオレートなどが挙げられる。なかでも、トリアセチン、トリプロピオニン、トリブチリン、トリバレリン、トリイソバレリン、グリセリンジアセトモノラウレート、およびグリセリンジアセトモノオレートがより好ましく、トリアセチンがさらに好ましい。
これらの中から選ばれる少なくとも１種であることが好ましく、２種以上を併用してもよい。
【００２６】
これらは、関東化学（株）、有機合成薬品工業（株）、大八化学工業（株）、理研ビタミン（株）、東京化成工業（株）などから入手することができる。
【００２７】
グリセリントリエステル化合物の含有量は、湿し水組成物に対し０．１〜５０質量％であり、１〜３０質量％であることがより好ましく、３〜１０質量％であることがさらに好ましい。前記範囲内であることにより、ブランケットパイリングを抑制でき、良好なブラン洗浄性、給水ローラー汚れ抑制、良好な乳化適性を有する。５０質量％を超えると、水との相溶性が落ち、白濁したり、他の溶剤分が少なくなるため印刷版への濡れ性が落ち、汚れやすくなるおそれがある。
【００２８】
前記モノアミノポリカルボン酸およびその塩と、前記一般式（１）で表されるグリセリントリエステル化合物とを併用することで、カルシウム塩などの析出防止および湿し水の汚れ（濁り）の抑制に効果があるとともに、ブランケットパイリングの発生を抑制できるという顕著な効果を発揮する。
【００２９】
湿し水組成物には、さらに酸、塩類および下記一般式（２）で表される化合物を含有することが好ましい。
Ｒ４−Ｏ−（ＣＨ２ＣＨＲ５Ｏ）ｎ−Ｈ          （２）
（ここで、式中、Ｒ４は炭素数が１〜４のアルキル基であり、Ｒ５は水素原子またはメチル基であり、ｎは１〜４の整数である。）
【００３０】
前記酸としては、具体的には、有機酸では、クエン酸、アスコルビン酸、リンゴ酸、酒石酸、乳酸、酢酸、グルコン酸、コハク酸、マレイン酸、ヒドロキシ酢酸、蓚酸、マロン酸、レブリン酸、スルファニル酸、ｐ−トルエンスルホン酸、フィチン酸、有機ホスホン酸などが挙げられ、無機酸では、例えばリン酸、硝酸、硫酸、ポリリン酸などが挙げられる。なかでも、リン酸、クエン酸、グルコン酸、リンゴ酸、コハク酸、およびマレイン酸がより好ましい。
これらの中から選ばれる少なくとも１種であることが好ましく、２種以上を併用してもよい。
【００３１】
酸の含有量は、湿し水組成物に対し０．１〜１０質量％であり、０．５〜５質量％であることがより好ましく、１〜３質量％であることがさらに好ましい。０．１質量％より少ないと、整面性が落ち、汚れやすくなる。１０質量％を超えると、ｐＨが下がり、乾燥が遅れるおそれがある。
【００３２】
前記塩類としては、上記有機酸および／または無機酸のアルカリ金属塩、アルカリ土類金属塩あるいはアンモニウム塩、有機アミン塩などが挙げられ、具体的には、硝酸アンモニウム、リン酸塩、クエン酸塩、およびｐ−トルエンスルホン酸塩が好ましい。
これらの中から選ばれる少なくとも１種であることが好ましく、２種以上を併用してもよい。
【００３３】
塩類の含有量は、湿し水組成物に対し０．１〜１０質量％であり、０．５〜５質量％であることがより好ましく、１〜３質量％であることがさらに好ましい。０．１質量％より少ないと、整面性が落ち、汚れやすくなる。１０質量％を超えると、水に溶けにくくなり、白濁や分離が生じるおそれがある。
【００３４】
前記一般式（２）で表される化合物としては、Ｒ４の例として、メチル基、エチル基、プロピル基、イソプロピル基、ブチル基、イソブチル基、ｔ−ブチル基があり、ジオール系化合物の溶解性を高め、かつブランケットパイリングを抑制する観点から、ｎ−ブチル基あるいはｔ−ブチル基であることが特に好ましい。Ｒ５は、水素原子またはメチル基であることが好ましく、メチル基がより好ましい。ｎは１〜４の整数であることが好ましく、１〜３の整数であることが特に好ましい。
具体的には、エチレングリコールモノメチルエーテル、ジエチレングリコールモノメチルエーテル、トリエチレングリコールモノメチルエーテル、テトラエチレングリコールモノメチルエーテル、エチレングリコールモノエチルエーテル、ジエチレングリコールモノエチルエーテル、トリエチレングリコールモノエチルエーテル、テトラエチレングリコールモノエチルエーテル、エチレングリコールモノプロピルエーテル、ジエチレングリコールモノプロピルエーテル、トリエチレングリコールモノプロピルエーテル、テトラエチレングリコールモノプロピルエーテル、エチレングリコールモノイソプロピルエーテル、ジエチレングリコールモノイソプロピルエーテル、トリエチレングリコールモノイソプロピルエーテル、テトラエチレングリコールモノイソプロピルエーテル、エチレングリコールモノブチルエーテル、ジエチレングリコールモノブチルエーテル、トリエチレングリコールモノブチルエーテル、テトラエチレングリコールモノブチルエーテル、エチレングリコールモノイソブチルエーテル、ジエチレングリコールモノイソブチルエーテル、トリエチレングリコールモノイソブチルエーテル、テトラエチレングリコールモノイソブチルエーテル、エチレングリコールモノターシャリブチルエーテル、ジエチレングリコールモノターシャリブチルエーテル、トリエチレングリコールモノターシャリブチルエーテル、テトラエチレングリコールモノターシャリブチルエーテル、プロピレングリコールモノメチルエーテル、ジプロピレングリコールモノメチルエーテル、トリプロピレングリコールモノメチルエーテル、テトラプロピレングリコールモノメチルエーテル、プロピレングリコールモノエチルエーテル、ジプロピレングリコールモノエチルエーテル、トリプロピレングリコールモノエチルエーテル、テトラプロピレングリコールモノエチルエーテル、プロピレングリコールモノプロピルエーテル、ジプロピレングリコールモノプロピルエーテル、トリプロピレングリコールモノプロピルエーテル、テトラプロピレングリコールモノプロピルエーテル、プロピレングリコールモノイソプロピルエーテル、ジプロピレングリコールモノイソプロピルエーテル、トリプロピレングリコールモノイソプロピルエーテル、テトラプロピレングリコールモノイソプロピルエーテル、プロピレングリコールモノブチルエーテル、ジプロピレングリコールモノブチルエーテル、トリプロピレングリコールモノブチルエーテル、テトラプロピレングリコールモノブチルエーテル、プロピレングリコールモノイソブチルエーテル、ジプロピレングリコールモノイソブチルエーテル、トリプロピレングリコールモノイソブチルエーテル、テトラプロピレングリコールモノイソブチルエーテル、プロピレングリコールモノターシャリブチルエーテル、ジプロピレングリコールモノターシャリブチルエーテル、トリプロピレングリコールモノターシャリブチルエーテル、テトラプロピレングリコールモノターシャリブチルエーテルなどが挙げられ、なかでもエチレングリコールモノターシャリブチルエーテル、プロピレングリコールモノターシャリブチルエーテル、３−メトキシ−３−メチル−１−ブタノールなどがより好ましい。
これらの中から選ばれる少なくとも１種であることが好ましく、２種以上を併用してもよい。
【００３５】
一般式（２）で表される化合物の含有量は、湿し水組成物に対し１〜８０質量％であり、５〜７０質量％であることがより好ましく、１０〜６０質量％であることがさらに好ましい。１質量％より少ないと、表面張力が下がらず、汚れやすくなる。８０質量％を超えると、印刷インキとの相溶性が上がり、過乳化しやすくなる。
【００３６】
湿し水組成物には、さらに下記一般式（３）で表されるピロリドン誘導体を含有することが好ましい。
【００３７】
【化５】
2019181760.tif 000005
（ここで、式中、Ｒ６は炭素数が２〜１２のアルキル基である。）
【００３８】
一般式（３）で表されるピロリドン誘導体としては、エチルピロリドン、ブチルピロリドン、ペンタピロリドン、ヘキサピロリドン、オクチルピロリドン、ラウリルピロリドンなどが挙げられ、なかでもオクチルピロリドンがより好ましい。
【００３９】
一般式（３）で表されるピロリドン誘導体の含有量は、湿し水組成物に対し０．０１〜１０質量％であり、０．１〜５質量％であることがより好ましく、０．５〜３質量％であることがさらに好ましい。
【００４０】
本発明の湿し水組成物には、さらにホウ酸類またはフタル酸水素カリウムを含有することが好ましい。ホウ酸類としては、ホウ酸、三酸化二ホウ素（無水または水和物）、四ホウ酸ナトリウム（無水物または水和物）、メタホウ酸ナトリウムなどが挙げられ、なかでもホウ酸、三酸化二ホウ素、四ホウ酸ナトリウムがより好ましい。
これらの中から選ばれる少なくとも１種であることが好ましく、２種以上を併用してもよい。
【００４１】
ホウ酸類またはフタル酸水素カリウムの含有量は、湿し水組成物に対し０．１〜１０質量％であり、０．５〜５質量％であることがより好ましく、１〜４質量％であることがさらに好ましい。
【００４２】
本発明の湿し水組成物には、グリコール類および／またはアルコール類などの水溶性有機溶媒を含有してもよい。グリコール類としては、プロピレングリコール、ジプロピレングリコール、トリプロピレングリコール、テトラプロピレングリコールおよびペンタプロピレングリコール、エチレングリコール、ジエチレングリコール、トリエチレングリコール、ポリエチレングリコール、ブチレングリコール、ヘキシレングリコールなどが挙げられ、なかでもプロピレングリコール、ジプロピレングリコール、トリプロピレングリコールがより好ましい。アルコール類としては、エチルアルコール、イソプロピルアルコール、ｎ−プロピルアルコール、ｔ−ブチルアルコール、イソブチルアルコール、ｔ−アミルアルコール、ベンジルアルコール、ペンタエリスリトール、メトキシエタノール、エトキシエタノール、ブトキシエタノールなどが挙げられる。
これらの中から選ばれる少なくとも１種であることが好ましく、２種以上を併用してもよい。
【００４３】
これら水溶性有機溶媒の含有量は、湿し水組成物に対し１〜５０質量％であり、１０〜４０質量％であることがより好ましい。
【００４４】
湿し水組成物には、２個のＯＨ基を有し、該２個のＯＨ基間の最短の炭素数が２〜６であり、かつ総炭素数が９であるジオール系非環状炭化水素化合物を含有してもよい。ＯＨ基間の最短の炭素数が２のものとして、具体的には、１，２−ノナンジオール、２，３−ノナンジオール、３，４−ノナンジオール、２−メチルオクタン−２，３−ジオール、２−メチル−３，４−オクタンジオール、２，２，５−トリメチル−３，４−ヘキサンジオール、３，３−ジメチル−１，２−ヘプタンジオール、２−エチルヘプタン−１，２−ジオール、３−エチル−５−メチル−１，２−ヘキサンジオール、２，３−ジメチルヘプタン−２，３−ジオール、３−エチル−４−メチルヘキサン−３，４−ジオール、４−メチル−４，５−オクタンジオール、３−イソプロピル−４−メチル−２，３−ペンタンジオールなどが挙げられる。ＯＨ基間の最短の炭素数が３のものとして、具体的には、２−ブチル−２−エチル−１，３−プロパンジオール、２，４−ジメチルヘプタン−３，５−ジオール、１，３−ノナンジオール、２，４−ノナンジオール、４，６−ノナンジオール、２，４−ジメチルヘプタン−１，３−ジオール、２，４−ジメチル−３，５−ヘプタンジオール、２，２−ジメチル−３，５−ヘプタンジオール、２，６−ジメチル−３，５−ヘプタンジオール、３，４−ジメチル−３，５−ヘプタンジオール、２−メチルオクタン−３，５−ジオール、２，６−ジメチルヘプタン−３，５−ジオール、２−［（１Ｒ）−１−メチル−３−メチルブチル］−１，３−プロパンジオール、２−ｓｅｃ−ブチル−２−エチル−１，３−プロパンジオール、２−ブチル−２−エチル−１，３−プロパンジオール、２−エチル−２−イソブチル−１，３−プロパンジオール、２−ヘキシルプロパン−１，３−ジオール、２−メチル−２−（１−メチルブチル）−１，３−プロパンジオール、２−メチル−２−ペンチル−１，３−プロパンジオール、２−メチル−２，４−オクタンジオール、２−メチルオクタン−１，３−ジオール、２，２−ジプロピル−１，３−プロパンジオール、２，４，５−トリメチルヘキサン−２，４−ジオール、２，２，４，４−テトラメチルペンタン−１，３−ジオール、２，４−ジメチルヘプタン−２，４−ジオール、３−プロピル−１，３−ヘキサンジオールなどが挙げられる。ＯＨ基間の最短の炭素数が４のものとして、具体的には、１，４−ノナンジオール、２，５−ノナンジオール、３−メチルオクタン−１，４−ジオール、４，６−ジメチル−２，５−ヘプタンジオール、２−（１，２−ジメチルプロピル）ブタン−１，４−ジオール、２−イソペンチル−１，４−ブタンジオール、２−エチル−１，４−ヘプタンジオール、２，２，３，３−テトラメチル−１，４−ペンタンジオール、２，４−ジメチルヘプタン−１，４−ジオール、４−メチルオクタン−１，４−ジオール、６，６−ジメチル−２，５−ヘプタンジオールなどが挙げられる。ＯＨ基間の最短の炭素数が５のものとして、具体的には、１，５−ノナンジオール、２，６−ノナンジオール、２，４−ジエチル−１，５−ペンタンジオール、４，６−ジメチルヘプタン−１，５−ジオール、２，６−ジメチルヘプタン−１，５−ジオール、２−イソプロピル−１，５−ヘキサンジオール、２−エチル−１，５−ヘプタンジオール、２，６−ジメチル−２，６−ヘプタンジオール、３，３，５−トリメチルヘキサン−１，５−ジオール、６，６−ジメチル−１，５−ヘプタンジオール、７−メチル−１，５−オクタンジオールなどが挙げられる。ＯＨ基間の最短の炭素数が６のものとして、具体的には、１，６−ノナンジオール、２−メチル−２，７−オクタンジオール、２，２，４−トリメチル−１，６−ヘキサンジオール、２，４，４−トリメチル−１，６−ヘキサンジオールなどが挙げられる。なかでも、２−ブチル−２−エチル−１，３−プロパンジオールおよび２，４−ジエチル−１，５−ペンタンジオールが好ましい。
これらの中から選ばれる少なくとも１種であることが好ましく、２種以上を併用してもよく、前記水溶性有機溶媒と併用してもよい。
【００４５】
本発明の湿し水組成物には、水溶性高分子化合物を含有してもよい。水溶性高分子化合物としては、具体的には、アラビアゴム、澱粉誘導体（例えばデキストリン、酵素分解デキストリン、ヒドロキシプロピル化酵素分解デキストリン、カルボキシメチル化澱粉、燐酸澱粉、オクテニルコハク化澱粉など）、アルギン酸塩、繊維素誘導体（例えばカルボキシメチルセルロース、カルボキシエチルセルロース、ヒドロキシエチルセルロース、メチルセルロース、ヒドロキシプロピルメチルセルロース、それらのグリオキサール変性体など）の天然物とその変性体およびポリビニルアルコールおよびその誘導体、ポリビニルピロリドン、ポリアクリルアミドおよびその共重合体、ポリアクリル酸およびその共重合体、ビニルメチルエーテル／無水マレイン酸共重合体、酢酸ビニル／無水マレイン酸共重合体などの合成物などが挙げられる。
これらの中から選ばれる少なくとも１種であることが好ましく、２種以上を併用してもよい。
【００４６】
水溶性高分子化合物の含有量は、湿し水組成物に対し０〜５質量％であり、０〜３質量％であることがより好ましく、０．５〜２質量％であることがさらに好ましい。
【００４７】
本発明の湿し水組成物には、糖類およびグリセリンからなる群を含有してもよい。糖類としては、単糖類、二糖類及びオリゴ糖類などから選択することができ、水素添加によって得られる糖アルコールもこれに含まれる。具体例としてＤ−エリトロース、Ｄ−スレオース、Ｄ−アラビノース、Ｄ−リボース、Ｄ−キシロース、Ｄ−エリスロ−ペンテュロース、Ｄ−アルロース、Ｄ−ガラクトース、Ｄ−グルコース、Ｄ−マンノース、Ｄ−タロース、β−Ｄ−フラクトース、α−Ｌ−ソルボース、６−デオキシ−Ｄ−グルコース、Ｄ−グリセロ−Ｄ−ガラクトース、α−Ｄ−アルロ−ヘプチュロース、β−Ｄ−アルトロ−３−ヘプチュロース、サッカロース、ラクトース、Ｄ−マルトース、イソマルトース、イヌロビオース、ヒアルビオウロン、マルトトリオース、Ｄ，Ｌ−アラビット、リビット、キシリット、Ｄ，Ｌ−ソルビット、Ｄ，Ｌ−マンニット、Ｄ，Ｌ−イジット、Ｄ，Ｌ−タリット、ズルシット、アロズルシット、マルチトール、還元水あめなどが挙げられる。
これらの中から選ばれる少なくとも１種であることが好ましく、２種以上を併用してもよい。
【００４８】
糖類およびグリセリンからなる群の含有量は、湿し水組成物に対し０〜５質量％であり、０〜４質量％であることがより好ましく、１〜３質量％であることがさらに好ましい。
【００４９】
本発明の湿し水組成物には、エチレンジアミンのポリエチレンオキサイドおよびプロピレンオキサイド付加化合物を含有してもよい。エチレンジアミンのポリエチレンオキサイドおよびプロピレンオキサイド付加化合物としては、ポリプロピレングリコール部（疎水基）の分子量が１，５００〜５，０００、総分子中のエチレンオキサイド付加重量％が１０〜４０％、分子量が２，０００〜８，５００のものが使用でき、なかでも、ポリプロピレングリコール部の分子量が２，０００〜４，０００、総分子中のエチレンオキシド付加重量％が１０〜２０重量％のものがより好ましい。
これらの付加化合物の含有量は、湿し水組成物に対し０〜５質量％であり、０．０２〜３質量％であることがより好ましく、０．１〜２質量％であることがさらに好ましい。
【００５０】
本発明の湿し水組成物には、着色剤、防錆剤、消泡剤などを含有してもよい。着色剤としては、食品用色素等が好ましく使用できる。例えば、黄色色素としてはＣＩＮｏ．１９１４０、１５９８５、赤色色素としてはＣＩＮｏ．１６１８５、４５４３０、１６２５５、４５３８０、４５１００、紫色色素としてはＣＩＮｏ．４２６４０、青色色素としてはＣＩＮｏ．４２０９０、７３０１５、緑色色素としてはＣＩＮｏ．４２０９５などが挙げられる。
防錆剤としては、例えばベンゾトリアゾール、５−メチルベンゾトリアゾール、チオサリチル酸、ベンゾイミダゾール及びその誘導体等が挙げられる。
消泡剤としてはシリコン消泡剤が好ましく、その中で乳化分散型及び可溶化型などのいずれも使用することができる。
【００５１】
本発明の湿し水組成物には、少量の界面活性剤を含有してもよい。界面活性剤として、アニオン型界面活性剤としては、脂肪酸塩類、アビエチン酸塩類、ヒドロキシアルカンスルホン酸塩類、アルカンスルホン酸塩類、ジアルキルスルホこはく酸塩類、直鎖アルキルベンゼンスルホン酸塩類、分岐鎖アルキルベンゼンスルホン酸塩類、アルキルナフタレンスルホン酸塩類、アルキルフェノキシポリオキシエチレンプロピルスルホン酸塩類、ポリオキシエチレンアルキルスルホフェニルエーテル塩類、Ｎ−メチル−Ｎ−オレイルタウリンナトリウム類、Ｎ−アルキルスルホこはく酸モノアミド２ナトリウム塩類、石油スルホン酸塩類、硬化ひまし油、硫酸化牛脂油、脂肪酸アルキルエステルの硫酸エステル塩類、アルキル硫酸エステル塩類、ポリオキシエチレンアルキルエーテル硫酸エステル塩類、脂肪酸モノグリセリド硫酸エステル塩類、ポリオキシエチレンアルキルフェニルエーテル硫酸エステル塩類、ポリオキシエチレンスチリルフェニルエーテル硫酸エステル塩類、アルキル燐酸エステル塩類、ポリオキシエチレンアルキルエーテル燐酸エステル塩類、ポリオキシエチレンアルキルフェニルエーテル燐酸エステル塩類、スチレン−無水マレイン酸共重合物の部分ケン化物類、オレフィン−無水マレイン酸共重合物の部分ケン化物類、ナフタレンスルホン酸塩ホルマリン縮合物類などが挙げられ、なかでもジアルキルスルホこはく酸塩類、アルキル硫酸エステル塩類及びアルキルナフタレンスルホン酸塩類が好ましく用いられる。
ノニオン型界面活性剤としては、ポリオキシエチレンアルキルエーテル類、ポリオキシエチレンアルキルフェニルエーテル類、ポリオキシエチレンポリスチリルフェニルエーテル、ポリオキシエチレンポリオキシプロピレンアルキルエーテル、グリセリン脂肪酸部分エステル類、ソルビタン脂肪酸部分エステル類、ペンタエリスリトール脂肪酸部分エステル類、プロピレングリコールモノ脂肪酸部分エステル類、蔗糖脂肪酸部分エステル類、ポリオキシエチレンソルビタン脂肪酸部分エステル類、ポリオキシエチレンソルビトール脂肪酸部分エステル類、ポリグリセリン脂肪酸部分エステル類、ポリオキシエチレン化ひまし油類、ポリオキシエチレングリセリン脂肪酸部分エステル類、脂肪酸ジエタノールアミド類、Ｎ，Ｎ−ビス−２−ヒドロキシアルキルアミン類、ポリオキシエチレンアルキルアミン、トリエタノールアミン脂肪酸エステル、トリアルキルアミンオキシドなどが挙げられ、なかでもポリオキシエチレンアルキルフェニルエーテル類、ポリオキシエチレン−ポリオキシプロピレンブロックポリマー類、アセチレングリコール類やアセチレンアルコール類およびこれらの酸化エチレンおよび／または酸化プロピレン付加物などが好ましく用いられる。
カチオン界面活性剤としては、アルキルアミン塩類、第４級アンモニウム塩類、ポリオキシエチレンアルキルアミン塩類、ポリエチレンポリアミン誘導体などが挙げられる。
また両性界面活性剤の例としては、アルキルイミダゾリン類が挙げられる。
さらに、フッ素系界面活性剤が挙げられる。フッ素系アニオン界面活性剤としては、パーフルオロアルキルスルホン酸塩、パーフルオロアルキルカルボン酸塩、パーフルオロアルキルリン酸エステル、フッ素系ノニオン界面活性剤としては、パーフルオロアルキルエチレンオキサイド付加物、パーフルオロアルキルプロピレンオキサイド付加物、フッ素系カチオン界面活性剤としては、パーフルオロアルキルトリメチルアンモニウム塩などが挙げられる。
これらの界面活性剤の含有量は、発泡の問題やインキとの乳化を考慮すると、湿し水組成物に対し５質量％以下が好ましく、０〜２質量％が適当である。
【００５２】
残余は水である。上述の各種成分を水、好ましくは脱塩水に溶解し、湿し水組成物を得ることができる。この湿し水組成物は低温にさらされたりすると場合によっては含有している塩類が析出したり、不均一となることがあるので適宜水で希釈した希釈液としてもよい。
【００５３】
本発明の湿し水組成物は、水道水、井戸水等で２５〜２００倍に希釈した希釈液として用いる。その際、希釈液中のモノアミノポリカルボン酸およびその塩の含有量が０．１〜１０質量％であることが好ましく、０．５〜５質量％であることがより好ましく、１〜３質量％であることがさらに好ましい。また、希釈液中のグリセリントリエステル化合物の含有量が、０．１〜１０質量％であることが好ましく、０．５〜５質量％であることがより好ましく、１〜３質量％であることがさらに好ましい。前記モノアミノポリカルボン酸およびその塩とグリセリントリエステル化合物の含有量を前記範囲内とすることにより、カルシウム塩などの析出防止および湿し水の汚れ（濁り）の抑制に効果があるとともに、ブランケットパイリングの発生を抑制できるという顕著な効果を有する。モノアミノポリカルボン酸およびその塩の含有量が１０質量％を超えるあるいはグリセリントリエステル化合物の含有量が１０質量％を超えると、水との相溶性が落ち、白濁したり、他の溶剤分が少なくなるため印刷版への濡れ性が落ち、汚れやすくなるおそれがある。
【００５４】
本発明の湿し水組成物は、種々のオフセット印刷版に対して使用することができる。
例えば、アルミニウム板を支持体とし、その上に感光層を有する感光性オフセット印刷版（あらかじめ感光性を付与した印刷版で、ＰＳ版と呼ばれる。）を画像露光及び現像して得られたオフセット印刷版に対して好適に使用できる。
可視や赤外線のレーザーで直接露光するＣＴＰ用のオフセット印刷版（ＣＴＰプレート）にも好適に使用することができる。具体例としてはフォトポリマータイプデジタルプレート（例えば、コダック合同会社製：エクスサーモＴＰ−Ｗ）や、サーマルポジタイプデジタルプレート（例えば、富士フイルムグローバルグラフィックシステムズ（株）製：ＸＰシリーズ）などが挙げられる。
無処理型オフセット印刷版にも好適に使用できる。無処理型オフセット印刷版では、印刷機上で可視や赤外線のレーザーで直接露光し、露光部分以外の非画線部を湿し水組成物（希釈液）で洗い流し、その後、通常のオフセット印刷方法により印刷する。従って、無処理型オフセット印刷版では、従来のＰＳ版やＣＴＰ版で使用されてきた現像処理、水洗、リンス液処理等の後処理工程が不要となるため、これらの廃棄物が排出されない。無処理型オフセット印刷版としては、例えば、ブルーアース（コニカミノルタビジネスソリューションズ（株）製）、ＸＺ−Ｒ（富士フイルムグローバルグラフィックシステムズ（株）製）、アズーラシリーズ（日本アグファ・ゲバルト（株）製）、Ｓｏｎｏｌａ  ＸＪ（コダック合同会社製）などが挙げられる。
【００５５】
上述したＰＳ版、ＣＴＰ版および無処理型オフセット印刷版を用いるには、これらの版に対して画像を露光して得られたオフセット印刷版を作製し、これを用いて一般的なオフセット印刷方法による印刷工程を経て、印刷物が形成される。
【００５６】
本発明の印刷物に用いる基材としては、通常のオフセット印刷が可能な用紙であれば使用できるが、特に、オフセット印刷に適する更紙（非塗工紙）、微塗工紙、コート紙、アート紙などが好ましく用いられる。
【実施例】
【００５７】
以下、本発明を実施例によって更に詳細に説明するが、本発明はこれらの実施例に限定されるものではない。なお、例中、「部」は「質量部」を、「％」は「質量％」を示す。
【００５８】
［湿し水組成物の作製］
表１および表２の処方にしたがって、湿し水組成物を各々作製した。
【００５９】
【表１】
2019181760.tif 000006
【００６０】
【表２】
2019181760.tif 000007
【００６１】
［導電率の変化］
表１および表２の湿し水組成物について、軟水にて５０倍に希釈し、湿し水とし、該湿し水中に、短冊状に切断した中質コート紙（ＵＰＭウルトラＨ、ＵＰＭ社製）２ｇを浸した。この際に、紙を浸す前と１時間経過後の湿し水の導電率を測定した。導電率は、ＬＡＱＵＡ Ｆ７４Ｓ型電気伝導率計（（株）堀場製作所製）および汎用電気伝導率用セル（浸せき形） ３５５２−１０Ｄ（（株）堀場製作所製）を用いて測定した。
１時間経過後と浸す前の導電率の差を求めた。導電率の差が小さいほど、カルシウムイオンなどを湿し水中に混入させないことを示し、軟水の導電率の差よりも小さいものを良好と判断する。
【００６２】
［ブランケットパイリング］
下記実機印刷試験時において、１万部ごとに印刷物をサンプリングし、印刷画像を目視にて観察し、ブランケットパイリングの発生状況を確認した。
ブランケットパイリングの発生について、◎：１０万部以上印刷しても発生しない、○：１０万部未満、７万部以上印刷しても発生しない、△：７万部未満、５万部以上印刷した時点で発生はみられるが、印刷物として許容できる（実用上問題ない）、×：５万部未満の印刷で発生し印刷物として許容できない、の４段階で評価した。
なお、上記評価は目視で観察しやすい紅インキにて行なった。
印刷機：（株）小森コーポレーション製  システム３５  ４色オフセット輪転機
印刷回転数：８００ｒｐｍ
印刷版：富士フイルムグローバルグラフィックシステムズ（株）製  ＸＰ−Ｆ（ＣＴＰ版）  ＡＭ１７５線
印刷インキ：東京インキ（株）製  ガイア墨、藍、紅、黄
用紙：日本製紙（株）製  ＯＫコートＬ
湿し水：水道水にて５０倍に希釈し調整した各湿し水組成物
【００６３】
［湿し水の濁り］
上記実機印刷試験終了後の湿し水の濁りを目視にて観察した。
湿し水の濁りについて、○：まったく濁っていない、△：やや濁りがある（実用上問題ない）、×：濁っている、の３段階で評価した。
【００６４】
導電率の変化、ブランケットパイリング、湿し水の濁りについての結果を、表３に示した。表３中の参考例は、軟水の結果である。
【表３】
2019181760.tif 000008
【００６５】
表３より、実施例１〜５は、比較例よりもブランケットパイリング、湿し水の濁りの両方が優れていることが明確である。また、この両者の相乗効果により、ブランケットパイリングに対して効果が向上する。モノアミノポリカルボン酸およびその塩を含まないものは、湿し水の濁りについては効果がなく、特定のグリセリントリエステル化合物を含まないものは、ブランケットパイリングに対して効果がない。比較例４、５のキレート剤を含んでも、湿し水の濁りに対してはまったく効果がみられない。特許文献４に類似の比較例６は、ブランケットパイリング、湿し水の濁りに対して効果がみられない。特許文献３に類似の比較例７および特許文献５に類似の比較例８ともに、ブランケットパイリングに対して効果がなく、湿し水の濁りに対してはまったく効果がみられない。
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
水で２５〜２００倍に希釈してオフセット印刷に使用する湿し水組成物であって、
イミノジ酢酸、およびイミノジ酢酸ナトリウム塩の中から選ばれる少なくとも１種を湿し水組成物に対し０．１〜５質量％、トリアセチンを湿し水組成物に対し１〜３０質量％含有することを特徴とする湿し水組成物。
【請求項２】
さらに、酸、塩類および下記一般式（１）で表される化合物を含有することを特徴とする請求項１に記載の湿し水組成物。
Ｒ１−Ｏ−（ＣＨ２ＣＨＲ２Ｏ）ｎ−Ｈ          （１）
（ここで、式中、Ｒ１は炭素数が１〜４のアルキル基であり、Ｒ２は水素原子またはメチル基であり、ｎは１〜４の整数である。）
【請求項３】
前記酸が、リン酸、クエン酸、グルコン酸、リンゴ酸、コハク酸、およびマレイン酸の中から選ばれる少なくとも１種であることを特徴とする請求項２に記載の湿し水組成物。
【請求項４】
前記塩類が、硝酸アンモニウム、リン酸塩、クエン酸塩、ｐ−トルエンスルホン酸塩の中から選ばれる少なくとも１種であることを特徴とする請求項２または３に記載の湿し水組成物。
【請求項５】
さらに、下記一般式（２）で表されるピロリドン誘導体を含有することを特徴とする請求項１〜４のいずれかに記載の湿し水組成物。
【化１】
2019181760.tif 000011
（ここで、式中、Ｒ３は炭素数が２〜１２のアルキル基である。）
【請求項６】
請求項１〜５のいずれかに記載の湿し水組成物を水で２５〜２００倍に希釈した希釈液を使用する印刷工程を含むことを特徴とするオフセット印刷方法。
【手続補正２】
【補正対象書類名】明細書
【補正対象項目名】００１５
【補正方法】変更
【補正の内容】
【００１５】
すなわち、本発明は、
（１）水で２５〜２００倍に希釈してオフセット印刷に使用する湿し水組成物であって、
イミノジ酢酸、およびイミノジ酢酸ナトリウム塩の中から選ばれる少なくとも１種を湿し水組成物に対し０．１〜５質量％、トリアセチンを湿し水組成物に対し１〜３０質量％含有することを特徴とする湿し水組成物、
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
（２）さらに、酸、塩類および下記一般式（１）で表される化合物を含有することを特徴とする（１）に記載の湿し水組成物、
Ｒ１−Ｏ−（ＣＨ２ＣＨＲ２Ｏ）ｎ−Ｈ          （１）
（ここで、式中、Ｒ１は炭素数が１〜４のアルキル基であり、Ｒ２は水素原子またはメチル基であり、ｎは１〜４の整数である。）
（３）前記酸が、リン酸、クエン酸、グルコン酸、リンゴ酸、コハク酸、およびマレイン酸の中から選ばれる少なくとも１種であることを特徴とする（２）に記載の湿し水組成物、
（４）前記塩類が、硝酸アンモニウム、リン酸塩、クエン酸塩、ｐ−トルエンスルホン酸塩の中から選ばれる少なくとも１種であることを特徴とする（２）または（３）に記載の湿し水組成物、
（５）さらに、下記一般式（２）で表されるピロリドン誘導体を含有することを特徴とする（１）〜（４）のいずれかに記載の湿し水組成物、
【手続補正５】
【補正対象書類名】明細書
【補正対象項目名】００１８
【補正方法】変更
【補正の内容】
【００１８】
【化１】
2019181760.tif 000012
（ここで、式中、Ｒ３は炭素数が２〜１２のアルキル基である。）
（６）（１）〜（５）のいずれかに記載の湿し水組成物を水で２５〜２００倍に希釈した希釈液を使用する印刷工程を含むことを特徴とするオフセット印刷方法、
である。